(57)【要約】【課題】自身及び他人の脈拍を感知し、スマートフォンの脈拍分析アプリケーションで自身の脈拍と他人の脈拍変化のシンクロ率（ｓｙｎｃｈｒｏｎｉｚａｔｉｏｎ）を演算してこれを表出することで、相互間の脈拍変化の頂点（ｃｌｉｍａｘ）を確認するようにした脈拍分析アプリケーションを用いた脈拍変化表出システムを提供する。【解決手段】生体信号を獲得し、獲得した生体信号を無線で伝送する複数の生体信号感知器及び前記複数の生体信号感知器から伝送された生体信号を表示し、脈拍分析アプリケーションで複数の生体信号の変化のシンクロ率を演算し、演算結果をイベントで表出する生体情報確認端末機を含む、脈拍分析アプリケーションを用いた脈拍変化表出システムを具現する。【選択図】図１
2018118041.tif 000002
【特許請求の範囲】
【請求項１】
スマートフォンの脈拍分析アプリケーションで脈拍変化シンクロ率を表出するためのシステムであって、
生体信号を獲得し、獲得した生体信号を無線で伝送する複数の生体信号感知器；及び
前記複数の生体信号感知器から伝送された生体信号を表示し、脈拍分析アプリケーションで複数の生体信号変化のシンクロ率を演算し、演算結果をイベントで表出する生体情報確認端末機を含み、
前記生体情報確認端末機は、受信した複数の生体情報の分析を制御し、分析結果によるイベント発生を制御する制御部、前記制御部と連動して脈拍分析アプリケーションを実行するアプリケーション実行部、及び前記アプリケーション実行部で実行された脈拍分析アプリケーションで第１及び第２脈拍信号の変化のシンクロ率を演算する方式で生体信号を分析する生体信号分析部を含み、
前記生体信号分析部は、前記脈拍分析アプリケーションに含まれた脈拍分析プログラムを用いて、第１及び第２脈拍信号を特定の棒グラフにそれぞれ変換し、変換したそれぞれの棒グラフを重畳させて特定状態の脈拍変化シンクロ率を演算して生体信号を分析することを特徴とする、脈拍分析アプリケーションを用いた脈拍変化表出システム。
【請求項２】
前記複数の生体信号感知器は、バンドの形態で生体信号測定対象者の手首に着用されて脈拍を生体信号として感知し、感知した生体信号を近距離無線信号に変換して送出することを特徴とする、請求項１に記載の脈拍分析アプリケーションを用いた脈拍変化表出システム。
【請求項３】
前記生体情報確認端末機はスマートフォンとして具現され、
前記生体情報確認端末機は、受信した生体信号を視覚的に表示する表示部を含むことを特徴とする、請求項１に記載の脈拍分析アプリケーションを用いた脈拍変化表出システム。
【請求項４】
前記生体情報確認端末機は、前記制御部の制御によって前記生体信号分析部で分析した脈拍変化のシンクロ率に対応するイベントを発生するイベント発生部をさらに含むことを特徴とする、請求項１に記載の脈拍分析アプリケーションを用いた脈拍変化表出システム。
【請求項５】
前記生体情報確認端末機は、生体情報を脈拍変化シンクロ率の演算で分析した結果を視覚及び聴覚で表出し、
前記イベント発生部は、脈拍変化のシンクロ率演算結果に基づいて音響効果を変化させる、または、対応する音楽を自動で選択して出力することを特徴とする、請求項４に記載の脈拍分析アプリケーションを用いた脈拍変化表出システム。
【請求項６】
前記生体情報確認端末機は、脈拍変化のシンクロ率をランプの個数で組み合わせてイベントを表現する、または、脈拍変化のシンクロ率を色の濃度変化で表現することを特徴とする、請求項１に記載の脈拍分析アプリケーションを用いた脈拍変化表出システム。
【請求項７】
スマートフォンの脈拍分析アプリケーションで脈拍変化シンクロ率を演算してその結果を表出するシステムであって、
生体信号を獲得し、獲得した生体信号を無線で伝送する複数の生体信号感知器；
前記複数の生体信号感知器から伝送された生体信号を表示し、脈拍分析アプリケーションで複数の生体信号変化のシンクロ率を演算し、演算結果をイベントで表出し、イベントを近距離無線信号に変換して伝送する生体情報確認端末機；及び
前記生体情報確認端末機から伝送されたイベント信号を処理し、脈拍変化のシンクロ率に対応するイベントを発生するイベント処理器を含み、
前記生体情報確認端末機は、受信した複数の生体情報の分析を制御し、分析結果によるイベント発生を制御する制御部、前記制御部と連動して脈拍分析アプリケーションを実行するアプリケーション実行部、及び前記アプリケーション実行部で実行された脈拍分析アプリケーションで第１及び第２脈拍信号の変化のシンクロ率を演算する方式で生体信号を分析する生体信号分析部を含み、
前記生体信号分析部は、前記脈拍分析アプリケーションに含まれた脈拍分析プログラムを用いて第１及び第２脈拍信号を特定の棒グラフにそれぞれ変換し、変換したそれぞれの棒グラフを重畳させて特定状態の脈拍変化シンクロ率を演算して生体信号を分析することを特徴とする、脈拍分析アプリケーションを用いた脈拍変化表出システム。
【請求項８】
前記生体情報確認端末機は、受信した生体信号を視覚的に表示する表示部を含むことを特徴とする、請求項７に記載の脈拍分析アプリケーションを用いた脈拍変化表出システム。
【請求項９】
前記生体情報確認端末機は、前記制御部の制御によって生体信号分析部で分析した脈拍変化のシンクロ率に対応するイベントを発生するイベント発生部、及び前記制御部の制御によって前記生体信号分析部で分析した脈拍変化のシンクロ率に対応するイベント情報を伝送するイベント情報伝送部をさらに含むことを特徴とする、請求項７に記載の脈拍分析アプリケーションを用いた脈拍変化表出システム。
【請求項１０】
前記イベント処理器は、受信したイベント情報に対応して脈拍変化のシンクロ率を表現するイベント処理部を含み、
前記イベント処理部は、脈拍変化シンクロ率をランプ個数で組み合わせてイベントを表現する、または、脈拍変化シンクロ率を色の濃度変化で表現することを特徴とする、請求項７に記載の脈拍分析アプリケーションを用いた脈拍変化表出システム。
【請求項１１】
前記イベント処理部は、脈拍変化シンクロ率に対応する香りを発散してイベントを処理することを特徴とする、請求項１０に記載の脈拍分析アプリケーションを用いた脈拍変化表出システム。
【発明の詳細な説明】
【技術分野】
【０００１】
本発明は脈拍分析アプリケーションを用いた脈拍変化表出システムに関するもので、特に自身及び他人の脈拍を感知し、スマートフォンの脈拍分析アプリケーションで自身の脈拍と他人の脈拍変化のシンクロ率（ｒａｔｅ  ｏｆ  ｓｙｎｃｈｒｏｎｉｚａｔｉｏｎ）を演算し、これを表出することで、相互間の脈拍変化の頂点（ｃｌｉｍａｘ）を確認することができるようにした脈拍分析アプリケーションを用いた脈拍変化表出システムに関するものである。
【背景技術】
【０００２】
現在、スマートフォンの多様な機能変化によって脈拍を感知するとか、感知した脈拍を脈拍分析アプリケーションで分析し、その分析結果を表出する技術は広く知られている。
【０００３】
特に、シャオミバンドの場合、簡単に手首に着用し、スマートフォンで脈拍を感知することができる。
【０００４】
また、スマートフォンのような情報器機を用いて生体情報を感知し、これを表出して健康を管理するとか生体興奮状態などを表出するための従来の技術が下記の特許文献１乃至特許文献３に開示されている。
【０００５】
特許文献１に開示された従来技術は、携帯型健康測定器で測定した生体信号を近距離通信網などを介して受信したスマートフォンに持続的に保存し、携帯型健康測定器で測定される一回の生体信号を取り合わせて診断データを生成することによって個人の日常的な健康ダイアリーとして活用することができるようにするとともに、過去に測定された生体信号と現在測定される生体信号を比較分析して、各個人の健康状態による飲酒量、飲酒すべきアルコールの種類などの行動方向を提案することができるようにしたものである。
【０００６】
また、特許文献２に開示された従来技術は生体信号に基づいてコンテンツを処理する方法であって、使用者の生体信号を獲得し、獲得された生体信号に基づき、出力されるコンテンツの種類又は特性を変化させるためのパラメーターを決定し、決定されたパラメーターに基づいてコンテンツを処理するとか取り替え、処理又は取替えされたコンテンツを出力する。
【０００７】
また、特許文献３に開示された従来技術は、スマート器機とウェアラブルデバイスを用いて互いに異なる身体の位置で容積脈波を測定し、測定された容積脈波の差から血流速度指標と血圧指標を計算し、計算された指標を心血管評価の指標として提供することができる心血管評価システム及び心血管評価プログラムを提供する。
【先行技術文献】
【特許文献】
【０００８】
【特許文献１】韓国登録特許第１０−１２４９２７４号公報
【特許文献２】韓国公開特許第１０−２０１５−００３９１１３号公報
【特許文献３】韓国公開特許第１０−２０１６−０１５０３４７号公報
【発明の概要】
【発明が解決しようとする課題】
【０００９】
しかし、前記のような一般的なスマートフォンを用いた脈拍感知及び分析方法及び従来技術は、自身の脈拍又は１人の生体信号（特に、脈拍）を感知し、これを分析して結果を表示することは可能であるが、他人の脈拍を感知及び分析して表示するとか他人の脈拍と自身の脈拍変化シンクロ率を演算し、これを表出することは不可能という欠点がある。
【００１０】
言い換えれば、特定の状態で（特に、興奮状態で）相手の脈拍状態をスマートフォンのような情報器機を用いてリアルタイムで確認するとか相手の脈拍と自身の脈拍の変化を演算し、これを総合的に表出することは不可能である欠点がある。
【００１１】
したがって、本発明は前記のような一般的な脈拍感知及び脈拍分析方法及び従来技術で発生する諸般問題点を解決するために提案されたもので、自身及び他人の脈拍を感知し、スマートフォンの脈拍分析アプリケーションで自身の脈拍と他人の脈拍変化のシンクロ率（ｓｙｎｃｈｒｏｎｉｚａｔｉｏｎ）を演算し、これを表出することで、相互間の脈拍変化の頂点（ｃｌｉｍａｘ）を確認するようにした脈拍分析アプリケーションを用いた脈拍変化表出システムを提供することにその目的がある。
【課題を解決するための手段】
【００１２】
前述したような目的を達成するために、本発明による脈拍分析アプリケーションを用いた脈拍変化表出システムの好適な実施例は、生体信号を獲得し、獲得した生体信号を無線で伝送する複数の生体信号感知器、及び前記複数の生体信号感知器から伝送された生体信号を表示し、脈拍分析アプリケーションで複数の生体信号の変化のシンクロ率を演算し、演算結果をイベントで表出する生体情報確認端末機を含むことを特徴とする。
【００１３】
前記複数の生体信号感知器のうちそれぞれの生体信号感知器はバンドの形態で手首に着用され、脈拍を生体信号として感知し、感知した生体信号を近距離無線信号に変換して送出することを特徴とする。
【００１４】
前記生体情報確認端末機は、前記複数の生体信号感知器から送信された生体信号を受信する生体信号受信部、及び受信した生体信号を視覚的に表示する表示部を含むことを特徴とする。
【００１５】
前記生体情報確認端末機は、受信した複数の生体情報の分析を制御し、分析結果によるイベント発生を制御する制御部、及び前記制御部と連動して脈拍分析アプリケーションを実行するアプリケーション実行部をさらに含むことを特徴とする。
【００１６】
前記生体情報確認端末機は、前記アプリケーション実行部で実行された脈拍分析アプリケーションで第１及び第２脈拍信号の変化のシンクロ率を演算する方式で生体信号を分析する生体信号分析部をさらに含むことを特徴とする。
【００１７】
前記生体情報確認端末機は、前記制御部の制御によって前記生体信号分析部で分析した脈拍変化のシンクロ率に対応するイベントを発生するイベント発生部をさらに含むことを特徴とする。
【００１８】
前記イベント発生部は脈拍変化のシンクロ率演算結果に基づいて音響効果を可変するとか対応する音楽を自動で選択して出力することを特徴とする。
【発明の効果】
【００１９】
本発明によると、自身及び他人の脈拍を感知し、スマートフォンの脈拍分析アプリケーションで自身の脈拍と他人の脈拍変化のシンクロ率を演算し、これを表出することで、他人の脈拍確認が可能であるとともに相互間の脈拍変化の頂点（ｃｌｉｍａｘ）を確認することができる利点がある。
【図面の簡単な説明】
【００２０】
【図１】本発明による脈拍分析アプリケーションを用いた脈拍変化表出システムの実施例１のブロック構成図である。
【図２】本発明による脈拍分析アプリケーションを用いた脈拍変化表出システムの実施例２のブロック構成図である。
【図３ａ】本発明において自身と他人の脈拍変化のシンクロ率を表示する例示図である。
【図３ｂ】本発明において自身と他人の脈拍変化のシンクロ率を表示する例示図である。
【発明を実施するための形態】
【００２１】
以下、本発明の好適な実施例による脈拍分析アプリケーションを用いた脈拍変化表出システムを添付図面に基づいて詳細に説明する。
【実施例１】
【００２２】
図１は本発明の好適な実施例１による脈拍分析アプリケーションを用いた脈拍変化表出システムのブロック構成図である。
【００２３】
本発明による脈拍分析アプリケーションを用いた脈拍変化表出システムは、生体信号を獲得し、獲得した生体信号を無線で伝送する第１及び第２生体信号感知器１１０、１２０、及び前記第１及び第２生体信号感知器１１０、１２０から伝送された生体信号を表示し、脈拍分析アプリケーションで複数の生体信号の変化のシンクロ率（ｓｙｎｃｈｒｏｎｉｚａｔｉｏｎ）を演算し、演算結果をイベントで表出する生体情報確認端末機２００を含む。
【００２４】
ここで、第１生体信号感知器１１０は自身の生体信号を感知する生体信号感知器であり、第２生体信号感知器１２０は他人の生体信号を感知する生体信号感知器である。本発明では、脈拍信号を実施例として説明するが、これに限定されるものではなく、多様な生体信号を同じ方法で適用して変化を表出することが可能である。
【００２５】
前記第１及び第２生体信号感知器１１０、１２０の構成及び作用は同一であるので、以下では説明の便宜上一つの生体信号感知器（例えば、第１生体信号感知器）についてのみ説明する。
【００２６】
前記第１生体信号感知器１１０は、測定対象者の脈拍を生体信号として獲得する生体信号獲得部１０１、前記生体信号獲得部１０１で獲得した生体信号を近距離無線信号に変換して無線方式で伝送する生体信号伝送部１０２、及び駆動用電源を供給する電源部１０３を含む。ここで、近距離無線信号は公知の多様な近距離無線信号を用いることができるが、本発明ではブルートゥース（登録商標）（４．０）を用いるものを説明する。
【００２７】
前記第１及び第２生体信号感知器１１０、１２０はバンドの形態に具現され、測定対象者の手首に着用した状態で、脈拍を生体信号として感知し、感知した生体信号を近距離無線信号に変換して送出することが好ましい。
【００２８】
ここで、第１生体信号感知器１１０で獲得した生体信号を“第１脈拍信号”といい、第２生体信号感知器１２０で獲得した生体信号を“第２脈拍信号”と言う。
【００２９】
また、生体情報確認端末機２００は多様な情報器機で具現することができるが、本発明ではスマートフォンで具現されたものを実施例として説明する。生体情報確認端末機２００は、前記第１及び第２生体信号感知器１１０、１２０から送信された生体信号を受信する生体信号受信部２０１、受信した生体信号を視覚的に表示する表示部２０２、受信した複数の生体情報の分析を制御し、分析結果によるイベント発生を制御する制御部２０３、及び前記制御部２０３と連動して脈拍分析アプリケーションを実行するアプリケーション実行部２０４を含む。
【００３０】
ここで、脈拍分析アプリケーションは二つの脈拍信号をランプの個数で表現し、脈拍変化のシンクロ率を演算し、その結果を算出するとか、二つの脈拍信号を色の濃度で表現し、脈拍変化のシンクロ率を演算し、その結果を算出するソフトウェアを意味する。
【００３１】
また、前記生体情報確認端末機２００は、前記アプリケーション実行部２０４で実行された脈拍分析アプリケーションで第１及び第２脈拍信号の変化のシンクロ率を演算する方式で生体信号を分析する生体信号分析部２０５、及び前記制御部２０３の制御によって前記生体信号分析部２０５で分析した脈拍変化のシンクロ率に対応するイベントを発生するイベント発生部２０６をさらに含むことができる。
【００３２】
ここで、イベント発生部２０６は脈拍変化のシンクロ率演算結果に基づいて音響効果を可変するとか対応する音楽を自動で選択して出力することが好ましい。
【００３３】
このように構成された本発明の好適な実施例１による脈拍分析アプリケーションを用いた脈拍変化表出システムの動作を具体的に説明すれば次のようである。
【００３４】
まず、測定対象の脈拍信号を生体信号として獲得する第１及び第２生体信号感知器１１０、１２０を自身とのシンクロ率を確認して見ようとする他人の手首にそれぞれ着用する。ここで、シンクロ率の確認は特定状態（例えば、興奮状態）で脈拍変化を確認することを意味する。
【００３５】
第１生体信号感知器１１０の生体信号獲得部１０１は、脈拍測定のために既に知られた脈拍センサー（例えば、ＰＲ３２０）を用いて測定対象者の脈拍を生体信号として獲得する。このように獲得した脈拍信号は生体信号伝送部１０２を介して近距離無線信号（ブルートゥース（登録商標）信号）に変換され、ブルートゥース（登録商標）方式で無線伝送される。
【００３６】
また、第２生体信号感知器１２０も前記第１生体信号感知器１１０と同様に動作して脈拍信号を生体信号として感知してブルートゥース（登録商標）方式で無線伝送する。
【００３７】
このように、自身と他人からそれぞれ獲得した脈拍信号はスマートフォンである生体情報確認端末機２００の生体信号受信部２０１を介してそれぞれ受信される。この時、生体情報確認端末機２００はアプリケーション実行部２０４を介して脈拍分析アプリケーションが実行されたと仮定する。前記生体信号受信部２０１はブルートゥース（登録商標）通信方式で生体信号を獲得することが好ましい。ここで、ブルートゥース（登録商標）方式はペアリングという過程を経て器機間に通信結合がなされるので、生体情報確認端末機２００は先に一つの生体信号感知器とのペアリングによって生体信号を受信し、ついで接続を解除した後、他の生体信号感知器とペアリングを行って生体信号を受信することが好ましい。すなわち、交互動作によって２個の生体信号感知器から発生した脈拍信号を全て受信する。
【００３８】
前記生体情報確認端末機２００の表示部２０２は前記生体信号受信部２０１で受信した生体情報を画面に表示する。これにより、確認者は特定状態（例えば、興奮状態）で自身の脈拍変化と他人の脈拍変化を自身のスマートフォンで確認することができる。
【００３９】
生体信号が受信されれば、制御部２０３は生体信号分析部２０５を制御して、自身と他人の脈拍変化のシンクロ率を演算するように制御する。
【００４０】
このような制御に対応し、生体信号分析部２０５は前記脈拍分析アプリケーションに含まれた脈拍分析プログラムを用いて、第１及び第２脈拍信号の変化のシンクロ率（ｓｙｎｃｈｒｏｎｉｚａｔｉｏｎ）を演算する。
【００４１】
ここで、脈拍変化シンクロ率の演算は第１及び第２脈拍信号を特定の棒グラフにそれぞれ変換し、変換されたそれぞれの棒グラフを重畳させて特定状態の脈拍変化シンクロ率を演算する。脈拍信号を棒グラフに変換することは、脈拍レベルに対応するように棒グラフテーブルを用意し、脈拍レベルが感知されれば、前記棒グラフテーブルを検索して該当棒グラフを抽出する方法を用いることができる。
【００４２】
また、２個の脈拍信号による二つの棒グラフを重畳する方法は、図３ａに示すように、第１脈拍信号の棒グラフは上側に、第２脈拍信号の棒グラフは下側に位置させ、その脈拍変化度によって２個の棒グラフが変化することを演算結果として導出する。
【００４３】
他の方法として、脈拍変化シンクロ率の演算は第１及び第２脈拍信号を特定の色の濃度にそれぞれ変換し、変換されたそれぞれの色の濃度を重畳させて特定状態の脈拍変化シンクロ率を演算する。脈拍信号を色の濃度に変換することは脈拍レベルに対応するように色の濃度テーブルを用意し、脈拍レベルが感知されれば、前記色の濃度テーブルを検索して該当色の濃度を抽出する方法を用いることができる。
【００４４】
また、２個の脈拍信号による二つの色の濃度データを重畳する方法は、図３ｂに示すように、第１脈拍信号の色の濃度データと第２脈拍信号の色の濃度データを重畳させる方法を用いることができる。さらに他の方法として、それぞれの脈拍信号を独立的に色の濃度データにそれぞれ変換し、これを分離して表示する方法を用いることもできる。
【００４５】
このように、棒グラフ又は色の濃度に演算された脈拍変化シンクロ率の演算結果は表示部２０２を介して画面に表示されることにより、使用者は特定状態で自身の脈拍変化状態と相手の脈拍変化状態、そして自身と相手の脈拍変化シンクロ率を確認することができるようになるものである。
【００４６】
同様に、他人も前記のような同じ方法で、自身と他人の脈拍変化シンクロ率を確認することができるようになる。
【００４７】
一方、前記生体信号分析部２０５で導出された脈拍変化シンクロ率演算結果はイベント発生部２０６に伝達され、前記イベント発生部２０６は伝達される脈拍変化シンクロ率演算結果に対応するイベントを発生する。
【００４８】
ここで、イベントは多様に発生することができるが、一般的なスマートフォンに基本的に備えられた機能を用いることが好ましい。
【００４９】
例えば、脈拍変化シンクロ率の演算結果に基づいて音響効果（音の高低）を変化させるとか対応する音楽を自動で選択して出力することができる。脈拍変化シンクロ率による音の高低又は音楽選択は前もって使用者が可変的に設定することができる。
【実施例２】
【００５０】
一方、前記のような実施例１は脈拍変化シンクロ率の演算結果に対するイベントをスマートフォン自体で発生させるものであり、これを確張して他のイベント発生装置を用いて付加的なイベントを発生させることも可能である。
【００５１】
図２に示すように、本発明による脈拍分析アプリケーションを用いた脈拍変化表出システムの実施例２は、生体信号を獲得し、獲得した生体信号を無線で伝送する第１及び第２生体信号感知器１１０、１２０、前記第１及び第２生体信号感知器１１０、１２０から伝送された生体信号を表示し、脈拍分析アプリケーションで複数の生体信号の変化シンクロ率を演算し、演算結果をイベントで表出し、イベントを近距離無線信号に変換して伝送する生体情報確認端末機２００、及び前記生体情報確認端末機２００から伝送されたイベント信号を処理して、脈拍変化のシンクロ率に対応するイベントを発生するイベント処理器３００を含む。
【００５２】
ここで、第１及び第２生体信号感知器１１０、１２０は図１の第１及び第２生体信号感知器１１０、１２０の構成及び作用と同一である。
【００５３】
また、生体情報確認端末機２００は図１の生体情報確認端末機の構成にイベント情報のみを近距離無線信号として伝送するイベント情報伝送部２０７をさらに付け加えたものである。
【００５４】
また、前記イベント処理器３００は、近距離無線通信信号を用いてイベント情報を受信するためのイベント情報受信部３０１、及び前記イベント情報受信部３０１で受信したイベント情報に対応して脈拍変化のシンクロ率を表現するイベント処理部３０２を含む。
【００５５】
前記イベント処理部３０２は脈拍変化のシンクロ率をランプの個数で組み合わせてイベントを表現するとか、脈拍変化のシンクロ率を色の濃度変化で表現するとか、脈拍変化のシンクロ率に対応する香りを発散してイベントを処理することが好ましい。
【００５６】
このように構成された本発明の好適な実施例２による脈拍分析アプリケーションを用いた脈拍変化表出システムの動作を具体的に説明すれば次のようである。
【００５７】
まず、測定対象の脈拍信号を生体信号として獲得する第１及び第２生体信号感知器１１０、１２０を自身とシンクロ率を確認して見ようとする他人の手首にそれぞれ着用する。ここで、シンクロ率の確認は特定状態（例えば、興奮状態）で脈拍変化を確認することを意味する。
【００５８】
第１生体信号感知器１１０の生体信号獲得部１０１は、脈拍測定のために既に知られた脈拍センサー（例えば、ＰＲ３２０）を用いて測定対象者の脈拍を生体信号として獲得する。このように獲得した脈拍信号は生体信号伝送部１０２を介して近距離無線信号（ブルートゥース（登録商標）信号）に変換されてブルートゥース（登録商標）方式で無線伝送される。
【００５９】
また、第２生体信号感知器１２０も前記第１生体信号感知器１１０と同様に動作して脈拍信号を生体信号として感知してブルートゥース（登録商標）方式で無線伝送する。
【００６０】
このように、自身と他人からそれぞれ獲得した脈拍信号はスマートフォンである生体情報確認端末機２００の生体信号受信部２０１を介してそれぞれ受信される。この時、生体情報確認端末機２００はアプリケーション実行部２０４によって脈拍分析アプリケーションが実行されたと仮定する。前記生体信号受信部２０１はブルートゥース（登録商標）通信方式で生体信号を獲得することが好ましい。ここで、ブルートゥース（登録商標）方式はペアリングという過程を経て器機間に通信結合がなされるので、生体情報確認端末機２００はまず一つの生体信号感知器とのペアリングによって生体信号を受信し、ついで接続を解除した後、他の生体信号感知器とペアリングを行って生体信号を受信することが好ましい。すなわち、交互動作によって２個の生体信号感知器から発生した脈拍信号を全て受信するようになる。
【００６１】
前記生体情報確認端末機２００の表示部２０２は前記生体信号受信部２０１で受信した生体情報を画面に表示する。これにより、確認者は特定状態（例えば、興奮状態）で自身の脈拍変化と他人の脈拍変化を自身のスマートフォンで確認することができるようになる。
【００６２】
生体信号が受信されれば、制御部２０３は生体信号分析部２０５を制御して、自身と他人の脈拍変化のシンクロ率を演算するようにする。
【００６３】
このような制御に対応し、生体信号分析部２０５は前記脈拍分析アプリケーションに含まれた脈拍分析プログラムを用いて、第１及び第２脈拍信号の変化のシンクロ率（ｓｙｎｃｈｒｏｎｉｚａｔｉｏｎ）を演算する。
【００６４】
ここで、脈拍変化シンクロ率の演算は第１及び第２脈拍信号を特定の棒グラフにそれぞれ変換し、変換したそれぞれの棒グラフを重畳させて特定状態の脈拍変化シンクロ率を演算する。脈拍信号を棒グラフに変換することは脈拍レベルに対応するように棒グラフテーブルを用意し、脈拍レベルが感知されれば、前記棒グラフテーブルを検索して該当棒グラフを抽出する方法を用いることができる。
【００６５】
また、２個の脈拍信号による二つの棒グラフを重畳する方法は、図３ａに示すように、第１脈拍信号の棒グラフは上側に、第２脈拍信号の棒グラフは下側に位置させ、その脈拍変化度によって２個の棒グラフが変化することを演算結果として導出する。
【００６６】
他の方法として、脈拍変化シンクロ率の演算は第１及び第２脈拍信号を特定の色の濃度にそれぞれ変換し、変換したそれぞれの色の濃度を重畳させて特定状態の脈拍変化シンクロ率を演算する。脈拍信号を色の濃度に変換することは脈拍レベルに対応するように色の濃度テーブルを用意し、脈拍レベルが感知されれば、前記色の濃度テーブルを検索して該当色の濃度を抽出する方法を用いることができる。
【００６７】
また、２個の脈拍信号による二つの色の濃度データを重畳する方法は、図３ｂに示すように、第１脈拍信号の色の濃度データと第２脈拍信号の色の濃度データを重畳させる方法を用いることができる。さらに他の方法として、それぞれの脈拍信号を独立的に色の濃度データにそれぞれ変換し、これを分離して表示する方法を用いることもできる。
【００６８】
このように、棒グラフ又は色の濃度に演算された脈拍変化シンクロ率の演算結果は表示部２０２を介して画面に表示されることにより、使用者は特定状態で自身の脈拍変化状態と相手の脈拍変化状態、そして自身と相手の脈拍変化シンクロ率を確認することができるようになるものである。
【００６９】
同様に、他人も前記と同一の方法で、自身と他人の脈拍変化シンクロ率を確認することができるようになる。
【００７０】
一方、前記生体信号分析部２０５で導出された脈拍変化シンクロ率の演算結果はイベント発生部２０６に伝達され、前記イベント発生部２０６は伝達される脈拍変化シンクロ率の演算結果に対応するイベントを発生する。
【００７１】
ここで、イベントは多様に発生することができるが、一般的なスマートフォンに基本的に備えられた機能を用いることが好ましい。
【００７２】
例えば、脈拍変化シンクロ率の演算結果に基づいて音響効果（音の高低）を変化させるとか対応する音楽を自動で選択して出力することができる。脈拍変化シンクロ率による音の高低又は音楽選択は前もって使用者が可変的に設定することができる。
【００７３】
また、イベント情報伝送部２０７は前記生体信号分析部２０５で導出した脈拍変化シンクロ率の演算結果を近距離無線信号に変換してイベント処理器３００に伝送する。
【００７４】
前記イベント処理器３００はイベント情報受信部３０１を介して脈拍変化シンクロ率の演算結果をイベント情報として受信し、イベント処理部３０２は脈拍変化シンクロ率の演算結果に基づいて、香り発生装置を駆動して香りを発散することで、脈拍変化シンクロ率の演算結果によるイベントを処理するようになる。
【００７５】
また、イベント処理部３０２は、生体情報確認端末機２００と同様な方式で、脈拍変化シンクロ率の演算結果を棒グラフの形態でイベントを処理することも可能であり、色の濃度を用いて脈拍変換シンクロ率の演算結果を表出することも可能である。
【００７６】
このように、本発明は、スマートフォン脈拍アプリケーションによって特定状態で自身の脈拍変化状態と他人の脈拍変化状態を表示することも可能であり、自身と他人の脈拍変化シンクロ率を演算し、時間の経過又は興奮状態の変化によって、これを視覚、聴覚及び嗅覚で相互確認することが可能である。
【００７７】
以上、本発明者によってなされた発明を前記実施例よって具体的に説明したが、本発明は前記実施例に限定されるものではなく、その要旨を逸脱しない範囲内で多様に変更可能なことは当該技術分野で通常の知識を有する者に明らかである。
【産業上の利用可能性】
【００７８】
本発明は、自身と他人の脈拍信号を重畳し、脈拍変化シンクロ率を演算し、これを表出する技術に適用される。
【符号の説明】
【００７９】
１１０    第１生体信号感知器
１０１    生体信号獲得部
１０２    生体信号伝送部
１０３    電源部
１２０    第２生体信号感知器
２００    生体情報確認端末機
２０１    生体信号受信部
２０２    表示部
２０３    制御部
２０４    アプリケーション実行部
２０５    生体信号分析部
２０６    イベント発生部
２０７    イベント情報伝送部
３００    イベント処理器
３０１    イベント情報受信部
３０２    イベント処理部
【図１】
2018118041.tif 000003
【図２】
2018118041.tif 000004
【図３ａ】
2018118041.tif 000005
【図３ｂ】
2018118041.tif 000006